【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】
腹臥位で横たわった際の人体頭部顔面を下向きに保持するための腹臥位用枕にして：
（イ）平面で見て概略馬蹄形をなす長袋状の柔軟性外袋（１）の内側に対応する立体形状の軟質発泡樹脂成形物を挿入充填配置し、あるいは該柔軟性外袋（１）内側に枕用粒状充填物を充填してなる枕本体と；
（ロ）その枕本体の捻じれ、広がり、その他の変形を防止してその馬蹄形を保持して顔面を安定に収受し当接させるようにするために、該枕本体の輪郭線のやや内側に内包される大きさでありかつ該枕本体に略相似する形状の剛性支持体（５）を該柔軟外袋（１）に装着係止する目的で、該柔軟性外袋（１）の下面側に設けられた複数の帯状部材（２、３、４）と；
を備えた腹臥位用枕。
【請求項２】
折り曲げ加工し、必要に応じて溶接加工した金属パイプまたは金属棒製の該相似形状の枠構造の支持体（５）を、複数の帯状部材（２、３、４）によって柔軟性外袋（１）の下面側に装着係止して備えた請求項１の腹臥位用枕。
【請求項３】
該概略馬蹄形の相似形状の枠構造の支持体（５）の両肩部分及び両先端部分に対応する４つの位置のそれぞれにネジ式上下位置調節具（６、７及び８'、９'）を垂直に備えた台座（１０）の上に請求項１または２の腹臥位用枕を載せ、安定保持のために該両肩部の上下調節ネジ（６、７）に対してそれぞれのネジの頂部附近に設けられた鉤型係合溝（６'、７'）内へ枠構造支持体（５）をその枠構造材の軸に関して回転可能に係合した状態で支持し、該両先端部においては上下調節ネジ（８'、９'）の頂部に設けた水平回転自在の座板（８、９）を介して支持体（５）の対応先端部をそれぞれ支持するようにした、高さ及び傾斜角度調節可能な腹臥位用枕。
【請求項４】
腹臥位での枕使用者の顔面を床面より上へ上昇させて床面と顔面との間に空間を生じさせるようにする脚部（１２）を一体化して備えるように折り曲げ溶接加工した金属パイプまたは金属棒製の該相似形状の枠構造の支持体（１１）を、該複数の帯状部材（２、３、４）によって該柔軟性外袋（１）の下面側に装着係止して備えた請求項１の腹臥位用枕。
【請求項５】
腹臥位での枕使用者の顔面の縦方向傾斜度を一定の角度位置に固定すること無く所望により別の角度位置へ可変とするため枕使用者の顔面の縦方向において枕を揺動し得るようにするため該脚部（１２）を安楽椅子式彎曲脚部としたことを特徴とする請求項４の腹臥位用枕。
【請求項６】
伏臥位で横たわった際の人体頭部顔面を下向きに保持するための伏臥位用枕にして：
（イ）平面で見て概略馬蹄形をなす長袋状の柔軟性外袋（１）の内側に対応する立体形状の軟質発泡樹脂成形物を挿入充填配置し、あるいは該柔軟性外袋（１）内側に枕用粒状充填物を充填してなる枕本体；
（ロ）その枕本体の捻じれ、広がり、その他の変形を防止してその馬蹄形を保持して顔面を安定に収受し当接させるようにするために、該枕本体の輪郭線のやや内側に内包される大きさでありかつ該枕本体に略相似する平面形状を備え、該柔軟性外袋（１）の下面側に係止付着される板状剛性支持体（５'）；
（ハ）  伏臥位での枕使用者の顔面を床面より上へ上昇させて床面と顔面との間に空間を生じさせるようにするため該剛性支持体（５'）を昇降調節具を介して支持するために床面に配置される、略Ｈ字形平面形状を有するソール（１５）；を備えた伏臥位用の上下位可変顔面枕であって：
該昇降調節具が
両端に同一方向に直角に折り曲がったカギ形端部（ａ，ｂ，ａ'，ｂ'）及び中央部にそれらのカギ形端部と同一方向に穿った貫通孔（ｃ）をそれぞれ有する２本の金属棒材または管材からなる支持桿（２６、２６'）を、全てのカギ形端部（ａ，ｂ，ａ'，ｂ'）が同一方向を指すように貫通孔（ｃ）を中心にして交差組合せ、両者を上記貫通孔を通る鋲状材（２７）によって、その鋲状材の軸を支点として洋バサミ様に回動自在であるように固定組み付けた昇降具アッセンブリーから主として構成され、さらに、
ソールのＨ字横棒右交差部（または左交差部）附近の上面に一方の支持桿（２６）のカギ形端部（ａ）を回動自在に挿入固定するために設けられた軸受け部材（２８）；ソールのＨ字横棒左交差部（または右交差部）附近の上面に該支持桿（１６）のカギ形端部（ｂ）を着脱可能に噛み合わせ係止するために設けられた複数の歯（２９、２９…）を有するラック；
枕本体用の剛性支持体の裏面の左肩部（または右肩部）の、上記軸受け部材の位置に対応する位置に、他方の支持桿（２６'）のカギ形端部（ａ'）を回動自在に挿入固定するために設けられた軸受け部材（２８'）；を備え、
かくして、該昇降調節具が剛性支持体（５）とソール（１５）との間に取り付けられ、カギ形端部とラックの歯との噛み合わせ位置を変えることにより高さを段階的に調節できることを特徴とする上記伏臥位用枕。
【請求項７】
剛性支持体の裏面の、前記ラックに対応する位置に設けられた同様なラックをさらに備え、カギ形端部（ｂ'）を着脱可能に噛み合わせ係止することを特徴とする請求項６の伏臥位用枕。
【請求項８】
伏臥位での枕使用者の顔面の縦方向傾斜度を一定の角度位置に固定すること無く所望により別の角度位置へ可変とするため枕使用者の顔面の縦方向において枕を揺動し得るようにするため該ソール底面に安楽椅子式彎曲を与えたことを特徴とする請求項６または７の伏臥位用枕。
【請求項９】
カギ形端部（ａ）及び／またはカギ形端部（ａ'）の軸受け部材の向こう側から突出する先端部に軸受けからの抜出し防止手段を施した請求項６または７の伏臥位用枕。
【請求項１０】
抜出し防止手段が折り曲げである請求項９の伏臥位用枕。
【請求項１１】
該剛性支持体（５'）が強度補強のための周縁を有するプラスチック一体成形体である請求項６〜１０のいずれかの伏臥位用枕。
【請求項１２】
該剛性支持体（５'）の裏面のラックおよび／または軸受も一体にプラスチック成形されている請求項１１の伏臥位用枕。
【請求項１３】
枕本体を配置床面よりも高い上昇位置で使用する腹臥位用枕と併用される腹臥位用軟質発泡樹脂マットレスであって：
（ｉ）伏臥位の胸から首にかけての部分に対応する位置に窪みの形状として、呼吸を楽にできるようにすると共に、気道の切開手術等の施術後、管を無理なく納めるスペース（１８）、
（ｉｉ）腹臥位の人体の胸部乳房に当接する部位に胸部乳房に対する圧迫を軽減し、胸式呼吸を容易化あるいは助長するための一対の眼鏡状のそれぞれ概略円形状の窪み（１９）；及び
（ｉｉｉ）腹臥位の人体の腹部に当接する部位に腹式呼吸を容易化あるいは助長し、内臓への圧迫を軽減するために、マットレスの末端にまで達する概略砲弾形状の窪み（２０＋２２）；
を設け、人体の胴体部を支えるに足りる長さを有する、上記腹臥位用軟質発泡樹脂マットレス。
【請求項１４】
該マットレスを長さ方向において略半分に二分割（Ｘ、Ｙ）して個々の使用者の身長値に対応して両分割部分（Ｘ、Ｙ）を適切な間隔で配置組合わせて併用できるようにした請求項１３の腹臥位用軟質発泡樹脂マットレス。
【請求項１５】
足首部の伸びきりによる疲労を予防し、尖足の発生を防止するために腹臥位使用者の足首部分を折り曲げた状態で支持する横断面が山形の脚部支持マットレス部分（Ｚ）を分離し、または結合して備えた請求項１３または１４のいずれかの腹臥位用軟質発泡樹脂マットレス。
【請求項１６】
通常の床の上に、小形の布団またはマットレス（Ｗ）を敷き、更にその小形の布団またはマットレス（Ｗ）上の頭部及び胴体配置帯域に請求項３〜１２のいずれかの腹臥位用枕と請求項１３または１４の腹臥位用軟質発泡樹脂マットレス（Ｘ＋Ｙ）とを組合せ配置してなる腹臥位用枕−腹臥位用軟質発泡樹脂マットレス−小形マットレスセットであって：
該小形の布団またはマットレスの脚部配置帯域の下端縁の位置は、該小形の布団またはマットレス上に使用者が腹臥位で横たわったときに使用者の伸ばした下肢の足首部が該下端縁のところで丁度折れ下がるような位置であり；
その脚部配置帯域の下端縁における小形の布団またはマットレスの厚さは、該折れ下がった足の指先が下の床面に実質的に触れる厚さである；
ことを特徴とする上記腹臥位用枕−腹臥位用軟質発泡樹脂マットレス−腹臥位用軟質発泡樹脂マットレス−小形マットレスセット。
【請求項１７】
（ロ）平面で見て概略馬蹄形をなす長袋状の柔軟性外袋（１）を有する枕本体の捻じれ、広がり、その他の変形を防止してその馬蹄形を保持して顔面を安定に収受し当接させるようにするために、該枕本体の輪郭線のやや内側に内包される大きさでありかつ該枕本体に略相似する平面形状を備え、該柔軟性外袋（１）の下面側に係止付着される板状剛性支持体（５'）；及び
（ハ）  伏臥位での枕使用者の顔面を床面より上へ上昇させて床面と顔面との間に空間を生じさせるようにするため該剛性支持体（５'）を昇降調節具を介して支持するために床面に配置される、略Ｈ字形平面形状を有するソール（１５）；を備え、
該昇降調節具が
両端に同一方向に直角に折り曲がったカギ形端部（ａ，ｂ，ａ'，ｂ'）及び中央部にそれらのカギ形端部と同一方向に穿った貫通孔（ｃ）をそれぞれ有する２本の金属棒材または管材からなる支持桿（２６、２６'）を、全てのカギ形端部（ａ，ｂ，ａ'，ｂ'）が同一方向を指すように貫通孔（ｃ）を中心にして交差組合せ、両者を上記貫通孔を通る鋲状材（２７）によって、その鋲状材の軸を支点として洋バサミ様に回動自在であるように固定組み付けた昇降具アッセンブリーから主として構成され、さらに、
ソールのＨ字横棒右交差部または左交差部附近の上面に一方の支持桿（２６）のカギ形端部（ａ）を回動自在に挿入固定するために設けられた軸受け部材（２８）；ソールのＨ字横棒左交差部（または右交差部）附近の上面に該支持桿（１６）のカギ形端部（ｂ）を着脱可能に噛み合わせ係止するために設けられた複数の歯（２９、２９…）を有するラック；枕本体用の剛性支持体の裏面の左肩部（または右肩部）の、上記軸受け部材の位置に対応する位置に、他方の支持桿（２６'）のカギ形端部（ａ'）を回動自在に挿入固定するために設けられた軸受け部材（２８'）；を備え、
かくして、該昇降調節具が剛性支持体（５）とソール（１５）との間に取り付けられ、カギ形端部とラックの歯との噛み合わせ位置を変えることにより高さを段階的に調節できることを特徴とする、伏臥位用枕部品。